【事件の表示】
　特願２００８−　４１０６３「広角レンズ、これを有する撮像装置及び結像方法」拒絶査定不服審判事件〔平成２１年　９月　３日出願公開、特開２００９−１９８８５４〕について、次のとおり審決する。
【結　論】
　本件審判の請求は、成り立たない。
【理　由】
１　手続の経緯
　本願は、平成２０年２月２２日の出願であって、平成２５年１０月２３日付けの拒絶理由の通知に対し、同年１２月１９日に意見書が提出されるとともに手続補正がなされたが、平成２６年３月１２日付けで拒絶査定がなされ、これに対し、同年６月１０日に審判請求がなされると同時に手続補正がなされたものである。
２　本願発明
（１）平成２６年６月１０日に提出された手続補正書によりなされた補正（以下「本件補正」という。）の内容
　本件補正は、本件補正前の特許請求の範囲である、
「　　【請求項１】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズを物体側からこの順に配列して接合した接合正レンズと、接合負レンズとを有し、
　前記後群における前記接合正レンズ中の前記正レンズのｄ線に対する屈折率をＮｐとし、前記後群における前記接合正レンズ中の前記負レンズのｄ線に対する屈折率をＮｎとしたとき、次式
　０．０９２９６≦Ｎｐ−Ｎｎ＜０．４０００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項２】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズとの接合からなる接合正レンズと、接合負レンズとを有するとともに、前記接合正レンズと前記接合負レンズとの間に正レンズと負レンズとを有し、前記接合負レンズの像側に正レンズを有し、
　前記後群における前記接合正レンズ中の前記正レンズのｄ線に対する屈折率をＮｐとし、前記後群における前記接合正レンズ中の前記負レンズのｄ線に対する屈折率をＮｎとしたとき、次式
　０．０９２９６≦Ｎｐ−Ｎｎ＜０．４０００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項３】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズとの接合からなる接合正レンズと、接合負レンズとを有するとともに、前記接合正レンズと前記接合負レンズとの間に正レンズと負レンズとを有し、前記接合負レンズの像側に正レンズを有し、
　前記後群における前記接合正レンズ中の前記正レンズのｄ線に対する屈折率をＮｐとし、前記後群における前記接合正レンズ中の前記負レンズのｄ線に対する屈折率をＮｎとし、前記後群において、前記接合正レンズと前記接合負レンズとの間に設けられた前記負レンズのｄ線に対する屈折率をＮ２５としたとき、次式
　０．０１００＜Ｎｐ−Ｎｎ＜０．４０００
　１．４５０＜Ｎ２５＜１．６００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項４】
　前記後群において、前記接合正レンズと前記接合負レンズとの間に設けられた前記正レンズのｄ線に対する屈折率をＮ２４としたとき、次式
　１．８５０＜Ｎ２４＜２．１００
の条件を満足することを特徴とする請求項２又は３に記載の広角レンズ。
　　【請求項５】
　前記反射防止膜は多層膜であり、
　前記多層膜の最表面層は、前記ウェットプロセスを用いて形成された層であることを特徴とする請求項１〜４のいずれか一項に記載の広角レンズ。
　　【請求項６】
　前記ウェットプロセスを用いて形成された層のｄ線における屈折率をｎｄとしたとき、次式
　ｎｄ≦１．３０
の条件を満足することを特徴とする請求項１〜５のいずれか一項に記載の広角レンズ。
　　【請求項７】
　前記後群は、前記接合正レンズと前記接合負レンズとの間に、開口絞りを有することを特徴とする請求項１〜６のいずれか一項に記載の広角レンズ。
　　【請求項８】
　前記反射防止膜が設けられた光学面は、前記開口絞りから見て凹面であることを特徴とする請求項７に記載の広角レンズ。
　　【請求項９】
　前記後群における前記接合正レンズの光軸上の総厚をＤ２２３とし、レンズ全系の焦点距離をｆ０としたとき、次式
　０．１００＜Ｄ２２３／ｆ０＜０．８００
の条件を満足することを特徴とする請求項１〜８のいずれか一項に記載の広角レンズ。
　　【請求項１０】
　前記後群における前記接合負レンズの接合面の曲率半径をＲａとし、レンズ全系の焦点距離をｆ０としたとき、次式
　５．０２＜Ｒａ／ｆ０＜１８．００
の条件を満足することを特徴とする請求項１〜９のいずれか一項に記載の広角レンズ。
　　【請求項１１】
　前記後群における前記接合負レンズ中の前記正レンズの光軸上の厚さをＤ２７とし、レンズ系全系の焦点距離をｆ０としたとき、次式
　０．２２＜Ｄ２７／ｆ０＜０．５０
の条件を満足することを特徴とする請求項１〜１０のいずれか一項に記載の広角レンズ。
　　【請求項１２】
　前記後群において前記接合負レンズは、非球面を備えていることを特徴とする請求項１〜１１のいずれか一項に記載の広角レンズ。
　　【請求項１３】
　前記後群において最も物体側に位置する前記負レンズは、非球面を備えていることを特徴とする請求項１〜１２のいずれか一項に記載の広角レンズ。
　　【請求項１４】
　請求項１〜１３のいずれか一項に記載の広角レンズを有することを特徴とする撮像装置。
　　【請求項１５】
　物体側から順に並んだ、負の屈折力を持つ前群と、正の屈折力を持つ後群とにより実質的に２個のレンズ群からなる広角レンズの結像方法において、
　前記後群を移動させることによって合焦を行い、
　前記前群は、物体側から順に並んだ、負レンズと、物体側に凸面を向けた正レンズとか
らなり、
　前記後群は、物体側から順に並んだ、負レンズと、正レンズと負レンズを物体側からこの順に配列して接合した接合正レンズと、接合負レンズとを有し、
　前記後群における前記接合正レンズ中の前記正レンズのｄ線に対する屈折率をＮｐとし、前記後群における前記接合正レンズ中の前記負レンズのｄ線に対する屈折率をＮｎとしたとき、次式
　０．０９２９６≦Ｎｐ−Ｎｎ＜０．４０００
の条件を満足し、
　前記前群及び前記後群における光学面のうち少なくとも１面は、ウェットプロセスを用いて形成された層を少なくとも１層含んだ反射防止膜が施されていることを特徴とする広角レンズの結像方法。」
を、
「　　【請求項１】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズを物体側からこの順に配列して接合した接合正レンズと、接合負レンズとを有し、
　前記後群における前記接合正レンズ中の前記正レンズのｄ線に対する屈折率をＮｐとし、前記後群における前記接合正レンズ中の前記負レンズのｄ線に対する屈折率をＮｎとし
、
　
前記後群における前記接合正レンズの光軸上の総厚をＤ２２３とし、レンズ全系の焦点距離をｆ０とし
　０．０９２９６≦Ｎｐ−Ｎｎ＜０．４０００
　
０．１００＜Ｄ２２３／ｆ０＜０．８００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項２】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズとの接合からなる接合正レンズと、接合負レンズとを有するとともに、前記接合正レンズと前記接合負レンズとの間に正レンズと負レンズとを有し、前記接合負レンズの像側に正レンズを有し、
　前記後群における前記接合正レンズ中の前記正レンズのｄ線に対する屈折率をＮｐとし、前記後群における前記接合正レンズ中の前記負レンズのｄ線に対する屈折率をＮｎとしたとき、次式
　０．０９２９６≦Ｎｐ−Ｎｎ＜０．４０００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項３】
　物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズとの接合からなる接合正レンズと、接合負レンズとを有するとともに、前記接合正レンズと前記接合負レンズとの間に正レンズと負レンズとを有し、前記接合負レンズの像側に正レンズを有し、
　前記後群における前記接合正レンズ中の前記正レンズのｄ線に対する屈折率をＮｐとし、前記後群における前記接合正レンズ中の前記負レンズのｄ線に対する屈折率をＮｎとし、前記後群において、前記接合正レンズと前記接合負レンズとの間に設けられた前記負レンズのｄ線に対する屈折率をＮ２５としたとき、次式
　０．０１００＜Ｎｐ−Ｎｎ＜０．４０００
　１．４５０＜Ｎ２５＜１．６００
の条件を満足し、
　前記前群及び前記後群における光学面のうち少なくとも１面は、ウェットプロセスを用いて形成された層を少なくとも１層含んだ反射防止膜が施されていることを特徴とする広角レンズ。
　　【請求項４】
　前記後群において、前記接合正レンズと前記接合負レンズとの間に設けられた前記正レンズのｄ線に対する屈折率をＮ２４としたとき、次式
　１．８５０＜Ｎ２４＜２．１００
の条件を満足することを特徴とする請求項２又は３に記載の広角レンズ。
　　【請求項
５
　前記後群における前記接合正レンズの光軸上の総厚をＤ２２３とし、レンズ全系の焦点距離をｆ０としたとき、次式
　０．１００＜Ｄ２２３／ｆ０＜０．８００
の条件を満足することを特徴とする請求項
２〜４
　　【請求項
６
　前記反射防止膜は多層膜であり、
　前記多層膜の最表面層は、前記ウェットプロセスを用いて形成された層であることを特徴とする請求項１〜
５
　　【請求項
７
　前記ウェットプロセスを用いて形成された層のｄ線における屈折率をｎｄとしたとき、次式
　ｎｄ≦１．３０
の条件を満足することを特徴とする請求項１〜
６
　　【請求項
８
　前記後群は、前記接合正レンズと前記接合負レンズとの間に、開口絞りを有することを特徴とする請求項１〜
７
　　【請求項
９
　前記反射防止膜が設けられた光学面は、前記開口絞りから見て凹面であることを特徴とする請求項
８
　　【請求項１０】
　前記後群における前記接合負レンズの接合面の曲率半径をＲａとし、レンズ全系の焦点距離をｆ０としたとき、次式
　５．０２＜Ｒａ／ｆ０＜１８．００
の条件を満足することを特徴とする請求項１〜９のいずれか一項に記載の広角レンズ。
　　【請求項１１】
　前記後群における前記接合負レンズ中の前記正レンズの光軸上の厚さをＤ２７とし、レンズ系全系の焦点距離をｆ０としたとき、次式
　０．２２＜Ｄ２７／ｆ０＜０．５０
の条件を満足することを特徴とする請求項１〜１０のいずれか一項に記載の広角レンズ。
　　【請求項１２】
　前記後群において前記接合負レンズは、非球面を備えていることを特徴とする請求項１〜１１のいずれか一項に記載の広角レンズ。
　　【請求項１３】
　前記後群において最も物体側に位置する前記負レンズは、非球面を備えていることを特徴とする請求項１〜１２のいずれか一項に記載の広角レンズ。
　　【請求項１４】
　請求項１〜１３のいずれか一項に記載の広角レンズを有することを特徴とする撮像装置。
　　【請求項１５】
　物体側から順に並んだ、負の屈折力を持つ前群と、正の屈折力を持つ後群とにより実質的に２個のレンズ群からなる広角レンズの結像方法において、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズを物体側からこの順に配列して接合した接合正レンズと、接合負レンズとを有し、
　前記後群における前記接合正レンズ中の前記正レンズのｄ線に対する屈折率をＮｐとし、前記後群における前記接合正レンズ中の前記負レンズのｄ線に対する屈折率をＮｎとし
、前記後群における前記接合正レンズの光軸上の総厚をＤ２２３とし、レンズ全系の焦点距離をｆ０とし
　０．０９２９６≦Ｎｐ−Ｎｎ＜０．４０００
　
０．１００＜Ｄ２２３／ｆ０＜０．８００
の条件を満足し、
　前記前群及び前記後群における光学面のうち少なくとも１面は、ウェットプロセスを用いて形成された層を少なくとも１層含んだ反射防止膜が施されていることを特徴とする広角レンズの結像方法。」
へと補正することを含むものである（下線は、補正箇所として当審が付した。）。
（２）補正の目的
　上記（１）からみて、本件補正は、本件補正前の請求項１を削除するとともに、本件補正前の請求項９のうち本件補正前の請求項１を引用する部分を本件補正後の請求項１とする補正を含むものであり、当該補正は、特許法第１７条の２第５項第２号に掲げる請求項の削除を目的とするものに該当する。
　よって、当該補正は適法である。
（３）本願発明の認定
　上記（２）によれば、本願の請求項１に係る発明は、本件補正後の請求項１（上記（１））に記載されたとおりのものであると認められ、以下、この発明を「本願発明」という。
３　引用例
（１）引用例１
ア　原査定の拒絶の理由で引用された本願の出願前に頒布された刊行物である特開平７−３５９７４号公報（以下「引用例１」という。）には、図とともに次の記載がある（下線は当審で付した。以下同じ。）。
（ア）「物体側より順に、
合焦時に固定で負の屈折力を有する第１レンズ群と、合焦時に移動する正の屈折力を有する第２レンズ群
前記第１レンズ群は物体側より順に、負の屈折力を有する第１レンズ群第１ユニットと正の屈折力を有する第１レンズ群第２ユニットとを有し、
前記第２レンズ群は物体側より順に、負の屈折力を有する第２レンズ群第１ユニットと正の屈折力を有する第２レンズ群第２ユニットと、負の屈折力を有する第２レンズ群第３ユニットと、正の屈折力を有する第２レンズ群第４ユニットとを有し、
前記第２レンズ群第３ユニットは、負の屈折力を有するレンズと正の屈折力を有するレンズとの貼合わせレンズであって全体として像側に凸面を向けた負メニスカスレンズを有し、
前記第２レンズ群中に開口絞りが設けられ、
前記第１レンズ群の焦点距離をｆ１とし、レンズ全系の焦点距離をｆ０とし、前記第２レンズ群第１ユニットと前記第２レンズ群第２ユニットとの合成焦点距離をｆ2Aとし、前記第２レンズ群第３ユニットと前記第２レンズ群第４ユニットとの合成焦点距離をｆ2Bとしたとき、
２　≦　−ｆ１／ｆ０　≦　９
０　＜　ｆ2B　／ｆ2A　＜　０．９
の条件を満足することを特徴とするレンズ。」（【請求項１】）
（イ）「【実施例】」（段落【００３５】）、
「本発明による大口径広角レンズは、物体側より順に、合焦時に固定で負の屈折力を有する第１レンズ群Ｇ１と、合焦時に移動する正の屈折力を有する第２レンズ群Ｇ２とを備え、前記第１レンズ群Ｇ１は物体側より順に、負の屈折力を有する第１レンズ群第１ユニットＧ１１と正の屈折力を有する第１レンズ群第２ユニットＧ１２とからなり、
前記第２レンズ群Ｇ２は物体側より順に、負の屈折力を有する第２レンズ群第１ユニットＧ２１と正の屈折力を有する第２レンズ群第２ユニットＧ２２と、負の屈折力を有する第２レンズ群第３ユニットＧ２３と、正の屈折力を有する第２レンズ群第４ユニットＧ２４とからなり
「以下、本発明の各実施例を、添付図面に基づいて説明する。」（段落【００３６】）、
「〔実施例４〕」（段落【００４９】）、
「図１１は、本発明の第４実施例にかかる大口径広角レンズの構成を示す図である。図示の
大口径広角レンズは、物体側より順に、物体側に凸面を向けた負メニスカスレンズおよび物体側に凸面を向けた正メニスカスレンズからなる第１レンズ群Ｇ１と、物体側に凸面を向けた負メニスカスレンズからなる第２レンズ群第１ユニットＧ２１と、物体側に凸面を向けた負メニスカスレンズ、および両凸レンズと両凹レンズとの貼合わせレンズからなる第２レンズ群第２ユニットＧ２２と、開口絞りＳと、両凹レンズと両凸レンズとの貼合わせレンズであって全体として像側に凸面を向けた負メニスカスレンズからなる第２レンズ群第３ユニットＧ２３と、物体側に凹面を向けた正メニスカスレンズおよび物体側に凹面を向けた正メニスカスレンズからなる第２レンズ群第４ユニットＧ２４とから構成されている。
「実施例４の大口径広角レンズは、上述した実施例１の大口径広角レンズと同様な基本的構成を有するが、各レンズ群の屈折力および形状等が異なっている。次の表（４）に、本発明の実施例４の
諸元の値
表（４）において、ｆは焦点距離を、Ｆ
NO
はＦナンバーを、２ωは画角を、Ｂｆはバックフォーカスを表す。さらに、左端の数字は物体側からの各レンズ面の順序を、ｒは各レンズ面の曲率半径を、ｄは各レンズ面間隔を、ｎはｄ線（λ＝５８７．６ｎｍ）に対する屈折率を、νはｄ線（λ＝５８７．６ｎｍ）に対するアッベ数を示している。
「【表４】
ｆ＝２４．７
ＦNO＝１．４３
２ω＝８４°
（条件対応値）
（１）−ｆ１／ｆ０      ＝６．０７
（２）ｆ2B  ／ｆ2A      ＝０．５０
（３）−ｆ１／ｆ２      ＝４．９６
（４）ｆ凸／ｆ２        ＝０．７０９
（５）｜ＡＳ−Ｓ｜／ｆ０＝０．０４４６（面番号１４の有効径φ28.8)
（６）｜ＡＳ−Ｓ｜／ｆ０＝０．０２３８（面番号６の有効径φ26.9)
（７）ｑ凹              ＝−２．９４
（８）−ｆ２凹／ｆ２    ＝１．８２
（９）ｄ1 ／（−ｆ１）  ＝０．１１０」（段落【００５１】）
（ウ）図１１は次のとおりである。
イ　上記アの各事項によれば、引用例１には次の発明（以下「引用発明１」という。）が記載されていると認められる。
「物体側より順に、物体側に凸面を向けた負メニスカスレンズおよび物体側に凸面を向けた正メニスカスレンズからなる第１レンズ群Ｇ１と、物体側に凸面を向けた負メニスカスレンズからなる第２レンズ群第１ユニットＧ２１と、物体側に凸面を向けた負メニスカスレンズ、および両凸レンズと両凹レンズとの貼合わせレンズからなる第２レンズ群第２ユニットＧ２２と、開口絞りＳと、両凹レンズと両凸レンズとの貼合わせレンズであって全体として像側に凸面を向けた負メニスカスレンズからなる第２レンズ群第３ユニットＧ２３と、物体側に凹面を向けた正メニスカスレンズおよび物体側に凹面を向けた正メニスカスレンズからなる第２レンズ群第４ユニットＧ２４とから構成されている大口径広角レンズであって、
　第１レンズ群Ｇ１は合焦時に固定で負の屈折力を有し、第２レンズ群Ｇ２は合焦時に移動する正の屈折力を有するものであって、
　諸元の値が以下のとおりである大口径広角レンズ。
　上記において、ｆは焦点距離を、ＦNOはＦナンバーを、２ωは画角を、Ｂｆはバックフォーカスを表す。さらに、左端の数字は物体側からの各レンズ面の順序を、ｒは各レンズ面の曲率半径を、ｄは各レンズ面間隔を、ｎはｄ線（λ＝５８７．６ｎｍ）に対する屈折率を、νはｄ線（λ＝５８７．６ｎｍ）に対するアッベ数を示している。」
（２）引用例２
ア　原査定の拒絶の理由で引用され、本願の出願前に頒布された国際公開第２００６／０３０８４８号（以下「引用例２」という。）には、図とともに次の記載がある。
「【背景技術】」、
「
カメラレンズ
を構成する個々のレンズ表面には、反射を低減するために反射防止膜がコーティングされている
「広い波長帯域あるいは広い角度帯域において低い反射率を有する高性能な光学薄膜を得るには、異なる屈折率を有する複数のコーティング材料を組み合わせて多層膜を形成すれば良いことが知られている。ドライプロセスで反射防止膜を成膜する場合、通常は最高屈折率材料としてＴｉＯ２（屈折率：２．４〜２．７  於５００ｎｍ）が利用され、最低屈折率材料としてＭｇＦ２（屈折率：１．３８  於５００ｎｍ）が利用されている。」（段落【０００３】）、
「多層膜は、使用するコーティング材料の屈折率差が大きいほど、あるいは最上層に低屈折率膜を使用することにより光学性能が向上したり、同じ光学性能でもコーティング層の数を減らせることが知られている。特に、最上層だけを屈折率が１．３０以下の低屈折率膜にすることによって、光学性能を極めて高くできることがシュミレ−ションにより明らかになっている。即ち、
最上層の屈折率を１．３０以下にした低屈折率膜は、広い波長域にわたって反射率を低く抑えることができる広帯域化に有効であり、直入射光だけでなく広い角度範囲から入射する光に対して反射率を低く抑えることができる広入射化に対しても極めて効果が高い。
「
膜の屈折率を低くするには、膜の構造を緻密ではなく多孔質にすることが有効である。
「    ｎｆ  ＝ｎｏ×Ｐ＋ ｎｐ×（１−Ｐ）
　ここでｎｐは微小孔を充たす物質（例えば、空気或いは水）の屈折率であり、ｎｆとｎｏはそれぞれ現実の屈折率（充填密度に依存する）と堆積した固体材料の屈折率であり、Ｐは膜の充填率である。更に充填率は以下のように定義される。」（段落【０００６】）、
「  Ｐ＝（膜の固体部分の体積）／（膜の総体積（固体部分＋微小孔部分））
かくして、充填密度の高低はそれぞれ屈折率の高低を意味する。」（段落【０００７】）、
「一般的に、緻密な膜を得るには蒸着やスパッタリングなどのドライプロセスが適しているが、
多孔質な膜を得るには湿式法（ウェットプロセス）が適している。
イ　上記アの各記載によれば、引用例２には、次の技術的事項が記載されていると認められる。
「カメラレンズを構成する個々のレンズ表面には、反射を低減するために反射防止膜がコーティングされているところ、最上層の屈折率を１．３０以下にした低屈折率膜は、広い波長域にわたって反射率を低く抑えることができる広帯域化に有効であり、直入射光だけでなく広い角度範囲から入射する光に対して反射率を低く抑えることができる広入射化に対しても極めて効果が高く、膜の屈折率を低くするには、膜の構造を緻密ではなく多孔質にすることが有効であり、多孔質な膜を得るには湿式法（ウェットプロセス）が適していること。」
４　対比
（１）本願発明と引用発明１とを以下に対比する。
ア（ア）引用発明１の「物体側に凸面を向けた負メニスカスレンズからなる第２レンズ群第１ユニットＧ２１と、物体側に凸面を向けた負メニスカスレンズ、および両凸レンズと両凹レンズとの貼合わせレンズからなる第２レンズ群第２ユニットＧ２２と、開口絞りＳと、両凹レンズと両凸レンズとの貼合わせレンズであって全体として像側に凸面を向けた負メニスカスレンズからなる第２レンズ群第３ユニットＧ２３と、物体側に凹面を向けた正メニスカスレンズおよび物体側に凹面を向けた正メニスカスレンズからなる第２レンズ群第４ユニットＧ２４」は「第２レンズ群Ｇ２」を構成していると認められる。
　そうすると、引用発明１では、「第１レンズ群Ｇ１」と「第２レンズ群Ｇ２」が、「物体側より順に」並んでいることになる。
　よって、引用発明１の「負の屈折力を有」する「第１レンズ群Ｇ１」及び「正の屈折力を有する」「第２レンズ群Ｇ２」は、それぞれ、「負の屈折力を持つ前群」と「正の屈折力を持つ後群」に該当し、さらに、「物体側から順に並んだ」ものである。
（イ）また、引用発明１の諸元の値からみて、引用発明１の「大口径広角レンズ」は、「第１レンズ群Ｇ１」及び「第２レンズ群Ｇ２」の２個のレンズ群からなるものと認められる。
（ウ）以上によれば、引用発明１は、本願発明の「物体側から順に並んだ、負の屈折力を持つ前群と、正の屈折力を持つ後群とにより実質的に２個のレンズ群からなり」との特定事項を備えている。
イ　引用発明１の「第２レンズ群Ｇ２は合焦時に移動する」ものであるから、引用発明１は、本願発明の「前記後群を移動させることによって合焦を行い」との特定事項を備えている。
ウ　引用発明１の「第１レンズ群Ｇ１」は「物体側より順に、物体側に凸面を向けた負メニスカスレンズおよび物体側に凸面を向けた正メニスカスレンズからなる」ものであるから、引用発明１は、本願発明の「前記前群は、物体側から順に並んだ、負レンズと、物体側に凸面を向けた正レンズとからなり」との特定事項を備えている。
エ（ア）引用発明１の「第２レンズ群Ｇ２」は、「物体側より順に」並んだ、
　「物体側に凸面を向けた負メニスカスレンズからなる第２レンズ群第１ユニットＧ２１」と、
　「物体側に凸面を向けた負メニスカスレンズ、および両凸レンズと両凹レンズとの貼合わせレンズからなる第２レンズ群第２ユニットＧ２２」と、
　「開口絞りＳ」と、
　「両凹レンズと両凸レンズとの貼合わせレンズであって全体として像側に凸面を向けた負メニスカスレンズからなる第２レンズ群第３ユニットＧ２３」と、
　「物体側に凹面を向けた正メニスカスレンズおよび物体側に凹面を向けた正メニスカスレンズ」とから構成されているものであるところ、
　「物体側に凸面を向けた負メニスカスレンズからなる第２レンズ群第１ユニットＧ２１」が本願発明の「負レンズ」に相当し、「両凹レンズと両凸レンズとの貼合わせレンズであって全体として像側に凸面を向けた負メニスカスレンズからなる第２レンズ群第３ユニットＧ２３」は、その諸元（レンズ面の番号１２〜１４）からみて、負の屈折力を有していると認められるから、本願発明の「接合負レンズ」に該当する。
　また、引用発明１の上記「物体側に凸面を向けた負メニスカスレンズ、および両凸レンズと両凹レンズとの貼合わせレンズからなる第２レンズ群第２ユニットＧ２２」のうち、「両凸レンズと両凹レンズとの貼合わせレンズ」は、その諸元（レンズ面の番号９〜１１）からみて、正の屈折力を有していると認められるとともに、「両凸レンズ」と「両凹レンズ」が物体側からこの順に配列しているから、本願発明の「正レンズと負レンズを物体側からこの順に配列して接合した接合正レンズ」に該当する。
（イ）さらに、引用発明１では、
　「物体側に凸面を向けた負メニスカスレンズからなる第２レンズ群第１ユニットＧ２１」（本願発明の「負レンズ」に相当。）と、
　「物体側に凸面を向けた負メニスカスレンズ、および両凸レンズと両凹レンズとの貼合わせレンズからなる第２レンズ群第２ユニットＧ２２」における「両凸レンズと両凹レンズとの貼合わせレンズ」（本願発明の「正レンズと負レンズを物体側からこの順に配列して接合した接合正レンズ」に該当。）と、
　「両凹レンズと両凸レンズとの貼合わせレンズであって全体として像側に凸面を向けた負メニスカスレンズからなる第２レンズ群第３ユニットＧ２３」（本願発明の「接合負レンズ」に該当。）とが、
　「物体側より順に」並んでいる。
（ウ）以上によれば、引用発明１は、「前記後群は、物体側から順に並んだ、負レンズと、正レンズと負レンズを物体側からこの順に配列して接合した接合正レンズと、接合負レンズとを有し」との特定事項を備えている。
オ　引用発明１の「第２レンズ群第２ユニットＧ２２」における「両凸レンズと両凹レンズとの貼合わせレンズ」（本願発明の「正レンズと負レンズを物体側からこの順に配列して接合した接合正レンズ」に該当。）の「ｄ線（λ＝５８７．６ｎｍ）に対する屈折率」は、その諸元からみて、「両凸レンズ」が「１．８４０４２」であって、これが、本願発明の「前記後群における前記接合正レンズ中の前記正レンズのｄ線に対する屈折率」「Ｎｐ」に相当し、「両凹レンズ」が「１．５８９１３」であって、これが、本願発明の「前記後群における前記接合正レンズ中の前記負レンズのｄ線に対する屈折率」「Ｎｎ」に相当する。
　そして、引用発明１において、「Ｎｐ−Ｎｎ」を計算すると、０．２５１２９となるから、引用発明１は、本願発明の「０．０９２９６≦Ｎｐ−Ｎｎ＜０．４０００」との数値限定を満たしている。
カ　引用発明１の「第２レンズ群第２ユニットＧ２２」における「両凸レンズと両凹レンズとの貼合わせレンズ」（本願発明の「接合正レンズ」に該当。）の光軸上の総厚は、その諸元からみて、レンズ面の番号９から同１１までの間の距離に対応し、１０．００００＋５．００００＝１５．００００であると認められ、この値が、本願発明の「Ｄ２２３」に相当する。
　また、引用発明１の「大口径広角レンズ」の焦点距離は、「２４．７０００」であり、この値が、本願発明の「ｆ０」に相当する。
　そうすると、引用発明１において、「Ｄ２３３／ｆ０」を計算すると、０．６０７となるから、引用発明１は、本願発明の「０．１００＜Ｄ２２３／ｆ０＜０．８００」との数値限定を満たしている。
キ　引用発明１の「大口径広角レンズ」は、本願発明の「広角レンズ」に相当する。
（２）上記（１）の各事項によれば、本願発明と引用発明１とは、
「物体側から順に並んだ、負の屈折力を持つ前群と、正の屈折力を持つ後群とにより実質的に２個のレンズ群からなり、
　前記後群を移動させることによって合焦を行い、
　前記前群は、物体側から順に並んだ、負レンズと、物体側に凸面を向けた正レンズとからなり、
　前記後群は、物体側から順に並んだ、負レンズと、正レンズと負レンズを物体側からこの順に配列して接合した接合正レンズと、接合負レンズとを有し、
　前記後群における前記接合正レンズ中の前記正レンズのｄ線に対する屈折率をＮｐとし、前記後群における前記接合正レンズ中の前記負レンズのｄ線に対する屈折率をＮｎとし、
　前記後群における前記接合正レンズの光軸上の総厚をＤ２２３とし、レンズ全系の焦点距離をｆ０としたとき、次式
　０．０９２９６≦Ｎｐ−Ｎｎ＜０．４０００
　０．１００＜Ｄ２２３／ｆ０＜０．８００
の条件を満足する、
　広角レンズ。」
である点で一致し、次の点で相違する。
［相違点］
　本願発明は、「前記前群及び前記後群における光学面のうち少なくとも１面は、ウェットプロセスを用いて形成された層を少なくとも１層含んだ反射防止膜が施されている」のに対し、引用発明１はそうなっているのか明らかでない点。
５　相違点の判断
（１）上記相違点について検討する。
ア　カメラレンズを構成する個々のレンズ表面に、反射を低減するために反射防止膜をコーティングすることは例示するまでなく周知である。
　他方、引用例２には、カメラレンズを構成する個々のレンズ表面には、反射を低減するために反射防止膜がコーティングされているところ、最上層の屈折率を１．３０以下にした低屈折率膜は、広い波長域にわたって反射率を低く抑えることができる広帯域化に有効であり、直入射光だけでなく広い角度範囲から入射する光に対して反射率を低く抑えることができる広入射化に対しても極めて効果が高く、膜の屈折率を低くするには、膜の構造を緻密ではなく多孔質にすることが有効であり、多孔質な膜を得るには湿式法（ウェットプロセス）が適しているとの技術的事項が記載されている（上記３（２）イ）。
　そうすると、引用発明１の「大口径広角レンズ」（本願発明の「広角レンズ」に相当。）において、レンズ表面の反射を低減するために、引用例２に記載された技術的事項を採用し、上記［相違点］のように構成することは当業者が容易に想到し得たことである。
イ　本願発明のようにしたことによる効果は、引用発明１及び引用例２の技術的事項に基づいて、当業者が予測し得たことである。
（２）上記（１）によれば、本願発明は、引用発明１及び引用例２の技術的事項に基づいて、当業者が容易に発明をすることができたものである。
６　むすび
　以上のとおり、本願発明は、特許法第２９条第２項の規定により特許を受けることができないから、他の請求項について検討するまでもなく、本願は拒絶されるべきものである。
　よって、結論のとおり審決する。